(57)【特許請求の範囲】
【請求項１】
箔状の導体部をフラット状絶縁体の両面あるいは片面に設けたフラット状の導電性部材を成端させる成端部を有する電気コンタクトであって、前記成端部が、コンタクト基部から延出した下側プレート部分と、該下側プレート部分の一側方から延出して該下側プレート部分に対向する上側プレート部分とを具備し、前記上側プレート部分又は前記下側プレート部分の一方に、対向するプレート部分に向けて突出する複数の凸部を所定間隔で突設し、前記上側プレート部分又は前記下側プレート部分の他方に、対向するプレート部分に向けて突出すると共に前記凸部間に位置する複数の凸部を所定間隔で突設し、前記上側プレート部分及び前記下側プレート部分をそれぞれ互いに接近する方向に押圧して前記導電性部材を破かずに圧着する電気コンタクトにおいて、
前記フラット状の導電性部材の前記導体部はカーボンで構成されており、
前記成端部は、前記下側プレート部分の前記一側方とは反対側の側方から延出して前記上側プレート部分の上面を覆う補強プレート部分をさらに有することを特徴とする電気コンタクト。
【発明の詳細な説明】
【０００１】
【発明の属する技術分野】
本発明は、フラット状絶縁体の両面あるいは片面に薄い箔状の導体部を設けたフラット状の導電性部材を成端させるための電気コンタクトに関するものである。
【０００２】
【従来の技術】
従来、薄い箔状の金属シートからなる導電性部材を成端させるための電気コネクタとして、例えば、図３に示すものが知られている（米国特許第３，２４７，３１６号公報参照）。
この電気コネクタ１００は、図３（Ａ）に示すように一端が連結された２枚の対向するプレート部分１０１、１０２を有し、金属板を打ち抜き及び曲げ加工することによって形成されている。上側及び下側のプレート部分１０１、１０２のそれぞれには、歯１０４と、この歯１０４に対向する歯１０５とが互いに接近する方向に延びるように形成され、歯１０４及び歯１０５は上側及び下側プレート部分１０１、１０２において交互に２列状に配置されている。
そして、薄い箔状の金属シートからなる導電性部材１１０は、図３（Ｂ）に示すように、電気コネクタ１００の上側プレート部分１０１と下側プレート部分１０２との間に挿入され、更に、図３（Ｃ）に示すように、上側プレート部分１０１と下側プレート部分１０２とを互いに接近する方向に押圧して歯１０４を導電性部材１１０にピアシングすると共に歯１０５を導電性部材１０５に貫通させることによって電気コネクタ１００に成端されるようになっている。なお、図３中、符号１０３は電線１２０を圧着接続する電線接続部である。
【０００３】
【発明が解決しようとする課題】
しかしながら、この従来の電気コネクタ１００にあっては、導電性部材１１０を電気コネクタ１００に成端するに際し、歯１０４が導電性部材１１０にピアシングされ、歯１０５が導電性部材１１０を貫通するようになっているので、導電性部材１１０における歯１０４、１０５との接続部分は構造的に弱い。このため、導電性部材１１０を図３（Ｂ）におけるＡ又はＢ方向に引張ると、導電性部材１１０が歯１０４、１０５により切り裂け、導電性部材１１０が電気コネクタ１００から離れてしまうことがある。従って、従来の電気コネクタ１００は、導電性部材１１０に対して保持力が弱く、電気コネクタ１００の導電性部材１１０に対する接触が不安定であるという問題点があった。
【０００４】
本発明の目的は、フラット状絶縁体の両面あるいは片面に薄い箔状の導体部を設けた導電性部材に対して保持力が強く、導電性部材への接触性が安定した電気コンタクトを提供することにある。
【０００５】
【課題を解決するための手段】
本発明に係る電気コンタクトは、箔状の導体部をフラット状絶縁体の両面あるいは片面に設けたフラット状の導電性部材を成端させる成端部を有する電気コンタクトであって、前記成端部が、コンタクト基部から延出した下側プレート部分と、該下側プレート部分の一側方から延出して該下側プレート部分に対向する上側プレート部分とを具備し、前記上側プレート部分又は前記下側プレート部分の一方に、対向するプレート部分に向けて突出する複数の凸部を所定間隔で突設し、前記上側プレート部分又は前記下側プレート部分の他方に、対向するプレート部分に向けて突出すると共に前記凸部間に位置する複数の凸部を所定間隔で突設し、前記上側プレート部分及び前記下側プレート部分をそれぞれ互いに接近する方向に押圧して前記導電性部材を破かずに圧着する電気コンタクトにおいて、前記フラット状の導電性部材の前記導体部はカーボンで構成されており、前記成端部は、前記下側プレート部分の前記一側方とは反対側の側方から延出して前記上側プレート部分の上面を覆う補強プレート部分をさらに有することを特徴としている。
【０００７】
【発明の実施の形態】
本発明の実施の形態を図面を参照して説明する。図１は本発明の電気コンタクトに導電性部材を成端させた状態を示し、（Ａ）はその斜視図、（Ｂ）は（Ａ）の１Ｂ−１Ｂ線に沿った一部拡大断面図、図２は図１の電気コンタクトを示し、（Ａ）は電気コンタクトの平面図、（Ｂ）は（Ａ）の２Ｂ−２Ｂ線に沿った断面図、（Ｃ）は電気コンタクトの正面図である。
【０００８】
これらの図において、電気コンタクト１は相手端子に接触する相手端子接触部２０と、箔状の導体部５１を両面あるいは片面に設けたフラット状の導電性部材５０を成端させる成端部４０と、相手端子接触部２０と成端部４０との中間に位置する中間部３０とを具備し、金属板を打ち抜き及び曲げ加工することによって形成されている。
【０００９】
相手端子接触部２０は、コンタクト基部１０の前側（図２（Ｂ）における左側）に延出した下側接触板２１と、この下側接触板２１の両側から折り曲げられ、合わせ面２３で合わせられる１対の上側接触板２２、２２とからなり、下側接触板２１の下面及び上側接触板２２の上面が平坦面のタブ形状をし、相手端子（図示せず）が下側接触板２１の下面及び上側接触板２２の上面で接触する。
【００１０】
成端部４０は、コンタクト基部１０の後側に延出した下側プレート部分４１と、この下側プレート部分４１の一方側（図２（Ａ）における上側）から折り曲げられると共に下側プレート部分４１に対向する上側プレート部分４２とを具備している。又、成端部４０は、下側プレート部分４１の他方側から折り曲げられると共に上側プレート部分４２の上面を覆う補強プレート部分４３を有している。下側プレート部分４１と上側プレート部分４２との間は、導電性部材５０が挿入される空間４６を形成している。そして、下側プレート部分４１には、上側プレート部分４２に向けて突出する複数の凸部４４が所定間隔ｈごとに突設され、上側プレート部分４２には、下側プレート部分４１に向けて突出すると共に下側プレート部分４１の凸部４４間に位置する複数の凸部４５が所定間隔ｈ（下側プレート部分４１の凸部４４と同一間隔）ごとに突設されている。下側プレート部分４１の凸部４４及び上側プレート部分４２の凸部４５は、打ち出しによって電気コンタクト１を横断する方向（図２（Ａ）における上下方向）に沿って形成される。なお、本実施形態にあっては、下側プレート部分４１の凸部４４が３個、上側プレート部分４２の凸部４５が２個形成されているが、その逆であってもよい。
【００１１】
中間部３０は、コンタクト基部１０の両側から立上げられた１対の側壁３１、３１と、この１対の側壁３１、３１の前方において内側に向けて折り曲げられて合わせ面３３で合わせられると共に相手端子接触部２０の１対の上側接触板２２、２２から連続する１対の前方天板３２、３２と、１対の側壁３１、３１の後方において内側に向けて折り曲げられて合わせ面３７で合わせられる１対の後方天板３６、３６とを具備している。前方天板３２、３２と後方天板３６、３６との間には開口３５が形成され、この開口３５には電気コンタクト１がコネクタのハウジング（図示せず）に挿入されたとき、ハウジングに形成された可撓係止片（図示せず）が嵌入する。そして、前方天板３２、３２の後端３４に、前記可撓係止片が係止され、電気コンタクト１の後方への抜け止めがなされる。
【００１２】
一方、導電性部材５０は、図１（Ａ）及び図１（Ｂ）に示すように、フラット状絶縁体５２の両面あるいは片面に銀ペーストによって薄い箔状の導体部５１を貼着して構成されている。導体部５１は、銅あるいはカーボンが好ましい。導電性部材５０の一端には、電気コンタクト１の空間４６に挿入される挿入部分５３が形成され、この挿入部５３の横幅は電気コンタクト１の上側プレート部分４２の側壁４２ａと補強プレート部４３の側壁４３ａとの間の幅に略等しい。
【００１３】
導電性部材５０を電気コンタクト１に成端させるには、導電性部材５０の挿入部５３を電気コンタクト１の下側プレート部分４１と上側プレート部分４２との間に形成された空間４６に挿入し、補強プレート部分４３の上方及び下側プレート部分４１の下方からそれぞれ互いに接近する方向に押圧すればよい。これにより、図１（Ｂ）に示すように、下側プレート部分４１の凸部４４、４４間に上側プレート部分４２の凸部４５が位置した状態で導電性部材５０は下側プレート部部４１と上側プレート部分４２との間に挟持され、圧着される。この際に、導電性部材５０は、下側プレート部分４１の凸部４４の先端と下側プレート部４２の凸部４５、４５間の平坦面との間及び上側プレート部分４２の凸部４５の先端と下側プレート部分４１の凸部４４、４４間の平坦面との間で略波形に入り込んで挟持されているので、導電性部材５０を図１（Ｂ）におけるＤ方向に引張っても容易には抜けない。従って、電気コンタクト１の導電性部材５０に対する保持力は強力なものとなっている。又、導電性部材５０の導体部５１が図１（Ａ）及び図１（Ｂ）に示すように、フラット状絶縁体５２の上面に形成されている場合には、導体部５１の上面が上側プレート部分４２の凸部４５の先端及び凸部４５、４５間の平坦面と接触し、導電性部材５０の導体部５１がフラット状絶縁体５２の下面に形成されている場合（図示せず）には、導体部５１の下面が下側プレート部分４１の凸部４４の先端及び凸部４４、４４間の平坦面と接触し、電気コンタクト１の導電性部材５０への接触性は安定したものとなっている。なお、成端部５０は、下側プレート部分４１の側方から延出すると共に上側プレート部分４２の上面を覆う補強プレート部分４３を有しているので、導電性部材５０を電気コンタクト１に成端した後に、補強プレート部分４３により上側プレート部分４２が導電性部材５０から離れようとするのを防止できる。このため、導電性部材５０に対する保持が一層確実なものとなる。又、下側プレート部分４１の凸部４４と上側プレート部分４２の凸部４５とが相補的に配置されているので、フラット状絶縁体５２の板厚が薄くなるところはなく、フラット状絶縁体５２が破られることはない。
【００１４】
【発明の効果】
本発明によれば、下側プレート部分の凸部間に上側プレート部分の凸部が位置するか又は上側プレート部分の凸部間に下側プレート部分の凸部が位置した状態で、導電性部材が下側プレート部分と上側プレート部分との間に挟持され、圧着されるので、導電性部材を引張っても容易には抜けず、導電性部材に対する保持力が強力であると共に導電性部材への接触性が安定した電気コンタクトが得られる。
【図面の簡単な説明】
【図１】本発明の電気コンタクトに導電性部材を成端させた状態を示し、（Ａ）はその斜視図、（Ｂ）は（Ａ）の１Ｂ−１Ｂ線に沿った一部拡大断面図である。
【図２】図１の電気コンタクトを示し、（Ａ）は電気コンタクトの平面図、（Ｂ）は（Ａ）の２Ｂ−２Ｂ線に沿った断面図、（Ｃ）は電気コンタクトの正面図である。
【図３】従来の電気コネクタを示し、（Ａ）は電気コネクタの斜視図、（Ｂ）は（Ａ）の電気コネクタに導電性部材を成端した状態の斜視図、（Ｃ）は（Ｂ）の３Ｃ−３Ｃ線に沿った断面図である。
【符号の説明】
１            電気コンタクト
１０          コンタクト基部
４０          成端部
４１          下側プレート部分
４２          上側プレート部分
４４、４５    凸部
【図１】
0003716950.tif 000002
【図２】
0003716950.tif 000003
【図３】
0003716950.tif 000004